(57)【特許請求の範囲】
【請求項１】
物体側より像側へ順に、正の屈折力の第１レンズ群、負の屈折力の第２レンズ群、光軸を折り曲げる反射部材、複数のレンズ群を含む後続レンズ群より構成され、広角端から望遠端へのズーミングに際し、前記第２レンズ群と前記後続レンズ群との間隔が小さくなるズームレンズであって、前記後続レンズ群のうちの１つのレンズ群は、物体側から像側へ順に、像ぶれ補正時に固定のレンズ群Ｇａ、像ぶれ補正時に光軸に対して垂直方向の成分を持つ方向に移動するレンズ群Ｇｂを有し、望遠端において無限遠物体に合焦しているときの前記レンズ群Ｇｂの横倍率をβｂ、該レンズ群Ｇｂより像側に配置されているレンズ系の横倍率をβｒ、望遠端において無限遠物体に合焦しているときの前記反射部材の像側の面から前記レンズ群Ｇｂの物体側のレンズ面までの光軸上の距離をＬｂ、前記反射部材の光軸上の厚さをＬｐとするとき、
１＜（１−βｂ）βｒ＜３
０．７０＜Ｌｂ／Ｌｐ＜２．００
なる条件式を満足することを特徴とするズームレンズ。
【請求項２】
前記後続レンズ群は複数の正の屈折力のレンズ群を有しており、前記ズームレンズはズーミングに際して少なくとも３つのレンズ群が移動しており、望遠端において無限遠物体に合焦しているときの前記レンズ群Ｇｂよりも像側に配置されるレンズ系の焦点距離をｆｒ、該ズームレンズの広角端と望遠端における焦点距離を各々ｆｗ、ｆｔとするとき、
０．１＜ｆｒ／√（ｆｗ・ｆｔ）＜４．０
なる条件式を満足することを特徴とする請求項１に記載のズームレンズ。
【請求項３】
前記後続レンズ群の中で、ズーミングに際して最も移動量が大きいレンズ群の焦点距離をｆｓｔｒ、前記ズームレンズの広角端における焦点距離をｆｗとするとき、
１．０＜ｆｓｔｒ／ｆｗ＜３．２
なる条件式を満足することを特徴とする請求項１又は２に記載のズームレンズ。
【請求項４】
前記レンズ群Ｇｂの焦点距離をｆｂ、前記ズームレンズの望遠端における焦点距離をｆｔとするとき、
０．１＜ｆｂ／ｆｔ＜０．５
なる条件式を満足することを特徴とする請求項１、２又は３に記載のズームレンズ。
【請求項５】
前記反射部材は、光軸上の光線を９０度折り曲げるように反射する反射面を有し、前記第２レンズ群の像側のレンズ面の有効径をφ２ｒとするとき、
０．７＜（Ｌｐ＋Ｌｂ）／φ２ｒ＜３．０
なる条件式を満足することを特徴とする請求項１乃至４のいずれか１項に記載のズームレンズ。
【請求項６】
請求項１乃至５のいずれか１項に記載のズームレンズと、該ズームレンズによって形成された像を受光する固体撮像素子を有することを特徴とする撮像装置。
【発明の詳細な説明】
【技術分野】
【０００１】
本発明はズームレンズに関し、例えばビデオカメラ、デジタルスチルカメラ、放送用カメラ、銀塩写真用カメラ等の撮像装置に用いられる撮影光学系に好適なものである。
【背景技術】
【０００２】
最近、撮像装置に用いられる撮影光学系は、高ズーム比で、全体が小型であることが求められており、特にカメラの厚みを薄くできることが求められている。また、カメラが振動したときに生じる画像ぶれを防止する防振機能を有することが要望されている。
【０００３】
カメラの厚みを薄くするために、撮影光学系の光軸を９０°折り曲げる反射部材（プリズム）が光路中に配置されているズームレンズが知られている（特許文献１、２）。
【０００４】
また、防振機能を有するズームレンズとして、物体側から像側へ順に、正、負、正、正の屈折力の第１〜第４レンズ群より成り、第３レンズ群の一部のレンズ群を光軸と垂直方向に移動させて像ぶれ補正を行うズームレンズが知られている（特許文献３）。
【０００５】
特許文献１のズームレンズは、物体側から像側へ順に正、負、正、正、正の屈折力の第１〜第５レンズ群より成る５群ズームレンズであって、第２レンズ群の像側に光軸を折り曲げるための反射部材を備えている。また、第３レンズ群全体を光軸と垂直方向に変位させて像ぶれを補正している。
【０００６】
特許文献２のズームレンズは、物体側から像側へ順に、正、負、正、正の屈折力の第１〜第４レンズ群より成る４群ズームレンズであって、第１、第３レンズ群内にそれぞれ光軸を折り曲げる反射部材を備えている。ズーミング時には第１、第３レンズ群を固定とし、第２、第４レンズ群を移動させている。また、第３レンズ群を、反射部材を境に２つの部分レンズ群に分割し、物体側の部分レンズ群を光軸に対して垂直方向に変位させて像ぶれを補正している。
【０００７】
特許文献３は、第３レンズ群を正の屈折力の第３ａレンズ群と正の屈折力の第３ｂレンズ群に分割し、第３ｂレンズ群を光軸に対して垂直方向に変位させて像ぶれを補正する構成を開示している。
【先行技術文献】
【特許文献】
【０００８】
【特許文献１】特開２００７−２９３０５１号公報
【特許文献２】特開２００７−２９２７９５号公報
【特許文献３】特開２００５−０６２２２８号公報
【発明の概要】
【発明が解決しようとする課題】
【０００９】
撮影光学系の光軸を折り曲げる反射部材を備えると共に防振機能を有するズームレンズをカメラに適用すれば、カメラの厚みを薄くし、かつ像ぶれのない画像を得ることが容易となる。しかしながら、これらの効果を得るためには防振機能を持つ光学部材と反射部材とを光路中の適切な位置に配置することが重要になってくる。防振機能を持つ光学部材と反射部材の配置が適切でないと、上記の効果を得ることが難しくなってくる。
【００１０】
例えば、光軸を９０度折り曲げる反射部材（プリズム）に隣り合うレンズ群を移動させて防振を行う場合、防振レンズ群を保持するレンズ鏡筒が光軸に対して垂直方向に大きく変位すると、他のレンズ群を保持するレンズ鏡筒に干渉してしまう可能性がある。したがって、反射部材の前後のレンズ群がズーミングに際して接近するズームタイプのズームレンズにおいては、防振レンズ群の構成を適切に設定することが重要になってくる。
【００１１】
本発明は、カメラ等の厚みを薄くすることができ、防振レンズ群の駆動量を大きくすることができ、良好なる画像を容易に得ることができるズームレンズ及びそれを用いた撮像装置を提供することを目的としている。
【課題を解決するための手段】
【００１２】
本発明のズームレンズは、物体側より像側へ順に、正の屈折力の第１レンズ群、負の屈折力の第２レンズ群、光軸を折り曲げる反射部材、複数のレンズ群を含む後続レンズ群より構成され、広角端から望遠端へのズーミングに際し、前記第２レンズ群と前記後続レンズ群との間隔が小さくなるズームレンズであって、前記後続レンズ群のうちの１つのレンズ群は、物体側から像側へ順に、像ぶれ補正時に固定のレンズ群Ｇａ、像ぶれ補正時に光軸に対して垂直方向の成分を持つ方向に移動するレンズ群Ｇｂを有し、望遠端において無限遠物体に合焦しているときの前記レンズ群Ｇｂの横倍率をβｂ、該レンズ群Ｇｂより像側に配置されているレンズ系の横倍率をβｒ、望遠端において無限遠物体に合焦しているときの前記反射部材の像側の面から前記レンズ群Ｇｂの物体側のレンズ面までの光軸上の距離をＬｂ、前記反射部材の光軸上の厚さをＬｐとするとき、
１＜（１−βｂ）βｒ＜３
０．７０＜Ｌｂ／Ｌｐ＜２．００
なる条件式を満足することを特徴としている。
【発明の効果】
【００１３】
本発明によれば、カメラ等の厚み方向を薄くすることができ、かつ防振レンズ群の駆動量を大きくすることができ、良好なる画像を容易に得ることができるズームレンズが得られる。
【図面の簡単な説明】
【００１４】
【図１】本発明の実施例１のレンズ断面図
【図２】本発明の実施例１の（Ａ）は広角端、（Ｂ）は望遠端における収差図
【図３】本発明の実施例２のレンズ断面図
【図４】本発明の実施例２の（Ａ）は広角端、（Ｂ）は望遠端における収差図
【図５】本発明の実施例３のレンズ断面図
【図６】本発明の実施例３の（Ａ）は広角端、（Ｂ）は望遠端における収差図
【図７】本発明の実施例４のレンズ断面図
【図８】本発明の実施例４の（Ａ）は広角端、（Ｂ）は望遠端における収差図
【図９】本発明の実施例５のレンズ断面図
【図１０】本発明の実施例５の（Ａ）は広角端、（Ｂ）は望遠端における収差図
【図１１】本発明の実施例６のレンズ断面図
【図１２】本発明の実施例６の（Ａ）は広角端、（Ｂ）は望遠端における収差図
【図１３】本発明の実施例１のレンズ断面図
【図１４】本発明の撮像装置の要部概略図
【発明を実施するための形態】
【００１５】
以下に、本発明の好ましい実施の形態を、添付の図面に基づいて説明する。本発明のズームレンズは、物体側より像側へ順に、正の屈折力の第１レンズ群Ｌ１、負の屈折力の第２レンズ群Ｌ２、光学系の光軸を９０度又は９０度前後（９０度±１０度以内）折り曲げる反射ミラーやプリズム等から成る反射部材ＰＲを有している。更に反射部材ＰＲの像側に配置された複数のレンズ群を含む後続レンズ群ＬＲより構成されている。広角端から望遠端へのズーミングに際し、第２レンズ群Ｌ２と後続レンズ群ＬＲの物体側のレンズ群との間隔が小さくなる。
【００１６】
図１は本発明の実施例１のズームレンズの光路を展開したときの広角端（短焦点距離端）におけるレンズ断面図である。図２（Ａ）、（Ｂ）はそれぞれ実施例１のズームレンズの広角端、望遠端（長焦点距離端）における収差図である。図３は本発明の実施例２のズームレンズの光路を展開したときの広角端におけるレンズ断面図である。図４（Ａ）、（Ｂ）はそれぞれ実施例２のズームレンズの広角端、望遠端における収差図である。図５は本発明の実施例３のズームレンズの光路を展開したときの広角端におけるレンズ断面図である。図６（Ａ）、（Ｂ）はそれぞれ実施例３のズームレンズの広角端、望遠端における収差図である。
【００１７】
図７は本発明の実施例４のズームレンズの光路を展開したときの広角端におけるレンズ断面図である。図８（Ａ）、（Ｂ）はそれぞれ実施例４のズームレンズの広角端、望遠端における収差図である。図９は本発明の実施例５のズームレンズの光路を展開したときの広角端におけるレンズ断面図である。図１０（Ａ）、（Ｂ）はそれぞれ実施例５のズームレンズの広角端、望遠端における収差図である。図１１は本発明の実施例６のズームレンズの光路を展開したときの広角端におけるレンズ断面図である。図１２（Ａ）、（Ｂ）はそれぞれ実施例６のズームレンズの広角端、望遠端における収差図である。図１３は実施例１のズームレンズの光軸を折り曲げて、カメラに装着するときの望遠端におけるレンズ断面図である。図１４は本発明のズームレンズを備えるデジタルカメラ（撮像装置）の要部概略図である。
【００１８】
各実施例のズームレンズは撮像装置に用いられる撮影光学系であり、光路を展開したレンズ断面図において、左方が物体側（前方）で、右方が像側（後方）である。尚、各実施例のズームレンズをプロジェクター等の投射レンズとして用いるときは、光路を展開したレンズ断面図において、左方がスクリーン、右方が被投射画像となる。
【００１９】
レンズ断面図において、ｉは物体側からのレンズ群の順番を示し、Ｌｉは第ｉレンズ群である。ＬＲは１以上のレンズ群を含む後続レンズ群である。ＳＰは絞りである。ＰＲは光学系の光軸上の光線を９０度折り曲げる反射面を含むプリズム又は反射ミラー等より成る反射部材である。各実施例では反射部材ＰＲをプリズムで構成した場合を示している。矢印は広角端から望遠端へのズーミングにおける各レンズ群の移動軌跡又はフォーカシングにおけるレンズ群の移動方向を示している。収差図において、ＦｎｏはＦナンバー、ｄ、ｇは各々ｄ線及びｇ線、ΔＭ、ΔＳはｄ線のメリディオナル像面、サジタル像面である。倍率色収差はｇ線によって表している。
【００２０】
各実施例において、後続レンズ群ＬＲのうちズーミングに際して移動する１つのレンズ群ＬＧは物体側から像側へ順に次のレンズ群を有している。像ぶれ補正時に固定のレンズ群Ｇａ、像ぶれ補正時に光軸に対して垂直方向の成分を持つ方向に移動するレンズ群（防振レンズ群）Ｇｂを有している。そして望遠端において無限遠物体に合焦しているときのレンズ群Ｇｂの横倍率をβｂ、レンズ群Ｇｂより像側に配置されているレンズ系の横倍率をβｒとする。また、望遠端において無限遠物体に合焦しているときの反射部材ＰＲの像側の面からレンズ群Ｇｂの物体側のレンズ面までの光軸上の距離をＬｂ、反射部材ＰＲの光軸上の厚さをＬｐとする。このとき、
１＜（１−βｂ）βｒ＜３        ‥‥‥（１）
０．７０＜Ｌｂ／Ｌｐ＜２．００  ‥‥‥（２）
なる条件式を満足している。
【００２１】
各実施例のズームレンズでは、防振レンズ群（像ぶれ補正レンズ群）Ｇｂが光軸に対して垂直方向に移動するときの単位移動量と、像（結像位置）の光軸に対する垂直方向の移動量との比である偏心敏感度が大きくなるようにしている。このため、後続レンズ群ＬＲの１つのレンズ群ＬＧを複数のレンズ群に分割して、より像側のレンズ群Ｇｂで像ぶれ補正をし、このときの各レンズ群の屈折力配置や結像倍率などを適切に規定している。
【００２２】
また光学系の光軸を折り曲げるための反射面を有する反射部材ＰＲを第２レンズ群Ｌ２と後続レンズ群ＬＲの間に配置して、光学系全体をバランスよくカメラ内部に配置することができるようにして、全体の小型、薄型化を達成している。
【００２３】
各実施例では、レンズ群ＬＧを物体側から順にレンズ群Ｇａとレンズ群Ｇｂの少なくとも２つに分割し、像側に配置されたレンズ群Ｇｂを光軸に対して垂直方向の成分を持つ方向に移動させて結像位置を移動させることによって、像ぶれ補正を行っている。これにより、反射部材ＰＲに隣り合う第２レンズ群Ｌ２と後続レンズ群ＬＲが最も接近する望遠端において各レンズ群を保持するレンズ鏡筒が干渉することなく十分な像ぶれ補正のための駆動量を確保することができる。一方、反射部材ＰＲに対して、物体側の第２レンズ群Ｌ２内に防振レンズ群を設けると、アクチュエーターや制御機構を設置するための空間が必要となり、カメラの厚みが増大してしまう。このため各実施例では反射部材ＰＲよりも像側のレンズ群ＬＧの一部で像ぶれ補正を行うようにしている。
【００２４】
条件式（１）は、一定量の像ぶれを補正するために、レンズ群Ｇｂを光軸に対して垂直方向に駆動する駆動量（偏心敏感度の逆数）を規定するものである。条件式（１）の下限を超えるとレンズ群Ｇｂの駆動量が増加して収差変動が大きくなる。逆に上限を超えると、レンズ群Ｇｂの屈折力が大きくなって収差変動が大きくなるため好ましくない。さらに望ましくは、条件式（１）の数値範囲を以下の条件式（１ａ）の数値範囲とするのが良く、これによれば防振時の収差変動を小さくすることができる。
【００２５】
１．２＜（１−βｂ）βｒ＜２．５        ‥‥‥（１ａ）
条件式（２）は、鏡筒の干渉を防止しながら効果的に像ぶれ補正を行うための条件である。条件式（２）の下限を超えると像ぶれ補正用のレンズ群Ｇｂが反射部材ＰＲ寄りに配置される。このため、ズームレンズの像ぶれ補正量が大きい場合などには、望遠端において第２レンズ群Ｌ２と後続レンズ群ＬＲの鏡筒が干渉してくる。または隣接する反射部材ＰＲとの間隔を大きくしなければならず、光学系が大型化してしまう。逆に上限を超えるような場合には、像ぶれ補正用のレンズ群Ｇｂが大口径となり、レンズ重量が増加し、またレンズ群Ｇｂの駆動量が大きくなってくる。このため、カメラ厚みが増大してくるため好ましくない。さらに望ましくは、条件式（２）の数値範囲を以下の条件式（２ａ）の数値範囲とするのが良い。これによればさらに適切な像ぶれ補正量を確保することができる。
【００２６】
０．７５＜Ｌｂ／Ｌｐ＜１．５０  ‥‥‥（２ａ）
各実施例において更に好ましくは以下の条件式のうち１以上を満足するのが良い。これによれば、各条件式に対応した効果を得ることができる。
【００２７】
望遠端において無限遠物体に合焦しているときのレンズ群Ｇｂよりも像側に配置されるレンズ系の焦点距離をｆｒ、ズームレンズの広角端と望遠端における焦点距離を各々ｆｗ、ｆｔとする。後続レンズ群ＬＲの中で、ズーミングに際して最も移動量が多いレンズ群の焦点距離をｆｓｔｒとする。レンズ群Ｇｂの焦点距離をｆｂとする。第２レンズ群Ｌ２の像側のレンズ面の有効径をφ２ｒとする。このとき、
【００２８】
【数１】
0005441521.tif 000002
【００２９】
１．０＜ｆｓｔｒ／ｆｗ＜３．２              ‥‥‥（４）
０．１＜ｆｂ／ｆｔ＜０．５                  ‥‥‥（５）
０．７＜（Ｌｐ＋Ｌｂ）／φ２ｒ＜３．０      ‥‥‥（６）
なる条件式のうち１以上を満足するのが良い。
【００３０】
条件式（３）は、望遠端において無限遠物体に合焦しているときのレンズ群Ｇｂよりも像側に配置されるレンズ系の焦点距離を規定したものである。下限を超えるとレンズ群Ｇｂの像ぶれ補正のための駆動量が大きくなるため好ましくない。逆に、上限を超えると機構追従性が低下するため好ましくない。さらに望ましくは、条件式（３）の数値範囲を以下の条件式（３ａ）の数値範囲とするのが良い。これによれば、防振時の収差変動が小さく、かつ機構追従性に優れた像ぶれ補正が容易となる。
【００３１】
【数２】
0005441521.tif 000003
【００３２】
条件式（４）は後続レンズ群ＬＲ中で、ズーミングに際しての移動量が大きいレンズ群ＬＸ（実施例１乃至３、５では第３レンズ群Ｌ３、実施例４では第４レンズ群Ｌ４）の焦点距離を規定したものである。下限をこえるとレンズ群ＬＸの屈折力が大きくなりすぎてズーミングの際の収差変動が大きくなる。逆に上限をこえるとレンズ群ＬＸの屈折力が小さくなりすぎて、所望の変倍比（ズーム比）を確保するためのストローク（移動量）が増大して光学系が大型化してくる。または反射部材ＰＲを配置するためのスペースを確保するのが難しくなる。さらに望ましくは、条件式（４）の数値範囲を以下の条件式（４ａ）の数値範囲とするのが良い。これによればズーミングの際の収差変動を低減することが容易となる。
【００３３】
２．４＜ｆｓｔｒ／ｆｗ＜３．２      ‥‥‥（４ａ）
条件式（５）は、像ぶれ補正用のレンズ群Ｇｂと望遠端における全系の焦点距離の比を規定したものである。下限を超えると像ぶれ補正用のレンズ群Ｇｂの屈折力が大きくなって、像ぶれ補正時の収差変動が大きくなる。逆に上限を超えると、像ぶれ補正用のレンズ群Ｇｂの駆動量が大きくなってしまうため好ましくない。さらに望ましくは、条件式（５）の数値範囲を以下の条件式（５ａ）の数値範囲とするのが良い。これによれば、ズーミングの際の収差変動が小さく、かつレンズ駆動量が適切に設定された像ぶれ補正が容易となる。
【００３４】
０．１２＜ｆｂ／ｆｔ＜０．４０      ‥‥‥（５ａ）
条件式（６）は、第２レンズ群Ｌ２の最も像側のレンズ面の有効径に対する、反射部材ＰＲの像側の面からレンズ群Ｌｂの物体側のレンズ面までの距離の比を規定したものである。下限を超えると反射部材ＰＲからレンズ群Ｇｂまでの必要距離が不足して、像ぶれ補正に第２レンズ群Ｌ２、後続レンズ群ＬＲの鏡筒が干渉しやすくなる。逆に上限をこえると、反射部材ＰＲからレンズ群Ｇｂまでの間隔が大きくなりすぎてズームレンズが大型化してしまう。さらに望ましくは、条件式（６）の数値範囲を以下の条件式（６ａ）の数値範囲とするのが良い。これによれば、全系がよりコンパクトなズームレンズを実現することができる。
【００３５】
１．０＜（Ｌｐ＋Ｌｂ）／φ２ｒ＜２．０      ‥‥‥（６ａ）
像ぶれ補正用のレンズ群Ｇｂは１以上の非球面を有するのが良い。これによれば、レンズ群Ｌｂを光軸に対して垂直方向に変位させたときのコマ収差の変動を低減することが容易となる。
【００３６】
以上のように各実施例では、光学系の光軸を折り曲げるための反射面を有する反射部材（プリズム部）ＰＲを第２レンズ群Ｌ２と後続レンズ群ＬＲの間に配置している。そしてズーミングに際して反射部材ＰＲを固定とし、第２レンズ群Ｌ２と後続レンズ群ＬＲの一部のレンズ群を移動させている。これによって高ズーム比を達成しつつ、カメラに適用したときの厚み（カメラの前後方向の長さ）を薄くしている。また、後続レンズ群ＬＲの一部のレンズ群Ｇｂを光軸に対して垂直方向に変位させて像ぶれ補正している。これにより反射部材（プリズム）ＰＲに隣接する２つのレンズ群が最も接近する望遠端において、各レンズ群を保持するレンズ鏡筒が互いに干渉することなく十分な像ぶれ補正のための駆動量を確保している。
【００３７】
次に各実施例のレンズ構成の特徴について説明する。図１の実施例１のレンズ断面図において、Ｌ１は正の屈折力（光学的パワー＝焦点距離の逆数）の第１レンズ群である。Ｌ２は負の屈折力の第２レンズ群である。ＬＲは２以上のレンズ群を有する後続レンズ群である。後続レンズ群ＬＲは正の屈折力の第３レンズ群Ｌ３、正の屈折力の第４レンズ群Ｌ４より成っている。ＰＲは反射面ＰＲａを含む反射部材（プリズム部材）であり、第２レンズ群Ｌ２と第３レンズ群Ｌ３との間に配置されており、図１３に示すように光軸上の光線を入射方向に対し９０度反射させている。
【００３８】
ＳＰは開口絞りである。ＧＢは光学フィルター、フェースプレート等に相当する光学ブロックである。ＩＰは像面であり、ビデオカメラやデジタルカメラの撮影光学系として使用する際にはＣＣＤセンサやＣＭＯＳセンサ等の固体撮像素子（光電変換素子）の撮像面が、銀塩フィルム用カメラの撮像光学系として使用する際にはフィルム面に相当する。矢印は広角端から望遠端へのズーミングにおける各レンズ群の移動軌跡を示している。ズーミングに際してプリズム部材ＰＲは固定である。広角端から望遠端のズーミングにおいて、第２レンズ群Ｌ２を像側へ、第３レンズ群Ｌ３を物体側へ移動させて変倍を行っている。そして第４レンズ群Ｌ４を移動させて変倍に伴う像面変動を補正すると共にフォーカシングを行っている。ズーミングにおける第４レンズ群Ｌ４の移動軌跡を物体側へ凸状とすることで、第３レンズ群Ｌ３と第４レンズ群Ｌ４の間のスペースを利用して、レンズ全長の短縮化を効果的に達成している。
【００３９】
第４レンズ群Ｌ４に関する実線の曲線４ａと点線の曲線４ｂは、各々無限遠物体と近距離物体にフォーカスしているときの変倍に伴う像面変動を補正するための移動軌跡である。また、望遠端において無限遠物体から近距離物体へフォーカスを行う場合には、矢印４ｃに示す如く第４レンズ群Ｌ４を前方に繰り出すことで行っている。尚、広角端と望遠端とはズーミング用のレンズ群が機構上、光軸上を移動可能な範囲の両端に位置したときのズーム位置である。
【００４０】
本実施例では、プリズム部材ＰＲを配置するスペースを確保しつつ高倍率化（高ズーム比化）を達成するために第２レンズ群Ｌ２と第３レンズ群Ｌ３のパワーを強くしている。広角端から望遠端へのズーミングに際して第２レンズ群Ｌ２は像側へ移動するが、この際、像側に凸状の軌跡を描きながら移動しても良い。第３レンズ群Ｌ３を物体側へ移動させることでズーム比９．４倍といった高ズーム比化を達成している。
【００４１】
本実施例のポジティブリードタイプのズームレンズでは、第２レンズ群Ｌ２と第３レンズ群Ｌ３の間の光路中において光線有効径が比較的小さくなる。このため第２レンズ群Ｌ２と第３レンズ群Ｌ３との間に物体側からの光路を折り曲げるための反射部材ＰＲを設けている。反射部材ＰＲは物体からの光線を、例えば光軸を９０度又は略９０度（９０度±１０度以内）折り曲げる反射面ＰＲａを有している。
【００４２】
図１３は反射部材ＰＲによって光学系の光軸を折り曲げた状態を示している。図１３に示すように物体側からの光を内部に反射面ＰＲａを含むプリズムより成る反射部材ＰＲで光軸を９０度折り曲げることで、カメラ（撮像装置）に適用したときの厚み方向（前後方向）を薄くしている。図１３においてＰＲａは反射部材ＰＲ内に設けた物体からの光軸を折り曲げるための反射面である。第３レンズ群Ｌ３（ＬＧ）は物体側から像側へ順に像ぶれ補正時に固定の正の屈折力の第３ａレンズ群（Ｇａ）Ｌ３ａと像ぶれ補正用の正の屈折力の第３ｂレンズ群Ｌ３ｂ（Ｇｂ）、像ぶれ補正時に固定の負の屈折力の第３ｃレンズ群Ｌ３ｃ（Ｇａ）を有している。第３ｂレンズ群Ｌ３ｂは像ぶれ補正のため（防振のため）に光軸と垂直方向の成分を持つ方向に移動している。
【００４３】
以上のような構成により、望遠端においてプリズム部材ＰＲと第３レンズ群Ｌ３の間隔を広げることなく像ぶれ補正用の第３ｂレンズ群Ｌ３ｂの駆動量を確保している。また負の屈折力の第３ｃレンズ群Ｌ３ｃを付加することにより、第３ｂレンズ群Ｌ３ｂの正の屈折力を高め、かつ像側の横倍率を大きく設計することができるため、像ぶれ補正時のレンズ群Ｇｂの駆動量を小さくすることができる。さらには像ぶれ補正時の収差変動も小さくすることができる。この第３ｂレンズ群Ｌ３ｂについては、非球面を導入するのが良く、これによれば防振時のコマ収差の変動などを低減することが容易となる。
【００４４】
開口絞りＳＰは第３ａレンズ群Ｌ３ａの像側に配置されている。なお、像ぶれ補正のための移動としては光軸上のある点を回転中心とした揺動（回転移動）でも良い。即ち光軸と垂直方向の成分を持つ方向に防振用の第３ｂレンズ群Ｌ３ｂを移動させれば、像の面内での移動が可能となる。尚、第１レンズ群Ｌ１は、ズーミング及びフォーカスの為には光軸方向に移動しない。但し収差補正上、必要に応じ移動させても良い。
【００４５】
図３の実施例２は図１の実施例１に比べて第３レンズ群Ｌ３のレンズ構成が異なっている。実施例２のズームレンズのズーム比は９．４である。実施例２の第３レンズ群Ｌ３は物体側から像側へ順に、像ぶれ補正時に固定の正の屈折力の第３ａレンズ群Ｌ３ａ、像ぶれ補正用の正の屈折力の第３ｂレンズ群Ｌ３ｂを有している。実施例２は実施例１に比べて負の屈折力の第３ｃレンズ群Ｌ３ｃがない分、像ぶれ補正時の第３ｂレンズ群Ｌ３ｂのレンズ駆動量が大きくなっている。この他の構成は実施例１と同じである。
【００４６】
図５の実施例３は図１の実施例１に比べて広角端から望遠端へのズーミングに際して第１レンズ群Ｌ１が像側に凸状の軌跡を描いて移動する点が異なっている。実施例３のズームレンズはズーミングに際して第１レンズ群Ｌ１を移動させることにより、ズーム比１９．２と高ズーム比化を達成している。この他の構成は実施例１と同じである。
【００４７】
図７の実施例４のレンズ断面図において、Ｌ１は正の屈折力（光学的パワー＝焦点距離の逆数）の第１レンズ群、Ｌ２は負の屈折力の第２レンズ群である。ＬＲは２以上のレンズ群を有する後続レンズ群である。
【００４８】
実施例４において後続レンズ群ＬＲは負の屈折力の第３レンズ群Ｌ３、正の屈折力の第４レンズ群Ｌ４、正の屈折力の第５レンズ群Ｌ５より成っている。広角端から望遠端へのズーミングにおいて、第２レンズ群Ｌ２を像側へ、第４レンズ群Ｌ４を物体側へ移動させて変倍を行い、第５レンズ群Ｌ５を移動させて変倍に伴う像面変動を補正している。第５レンズ群Ｌ５に関する実線の曲線５ａと点線の曲線５ｂは各々無限遠物体と近距離物体にフォーカスしているときの広角端から望遠端へのズーミングに伴う像面変動を補正するための移動軌跡を示している。また、望遠端において無限遠物体から近距離物体へフォーカスを行う場合には、第５レンズ群Ｌ５を矢印５ｃの如く前方（物体側）に移動させて行っている。実施例４のズームレンズのズーム比は９．５である。
【００４９】
広角端から望遠端へのズーミングに際し、プリズム部材ＰＲ、および第１レンズ群Ｌ１、第３レンズ群Ｌ３群は固定としている。実施例４においてプリズム部材ＰＲを配置するスペースを確保しつつ高倍率化（高ズーム比化）を達成するために第２レンズ群Ｌ２と第４レンズ群Ｌ４のパワーは強くしている。広角端から望遠端へのズーミングに際して第２レンズ群Ｌ２は像側へ移動するが、この際像側に凸軌跡を描きながら移動しても良い。さらに、第４レンズ群Ｌ４を物体側へ移動させることで約１０倍といった高ズーム比を達成している。それに伴う変倍時の像面位置のずれを補正するために第５レンズ群Ｌ５は物体側に凸状の軌跡を描きながら移動している。第４レンズ群Ｌ４は物体側から像側へ順に、正の屈折力の第４ａレンズ群Ｌ４ａ、正の屈折力の第４ｂレンズ群Ｌ４ｂ、負の屈折力の第４ｃレンズ群Ｌ４ｃより成っている。第４ｂレンズ群Ｌ４ｂを光軸と垂直方向の成分を持つ方向に移動させて像（結像位置）を光軸に対し垂直方向に移動させている。即ち、像ぶれ補正（防振）を行っている。開口絞りＳＰは第４ａレンズ群Ｌ４ａの像側に配置されている。この他の構成は図１の実施例１と同じである。
【００５０】
図９の実施例５は図１の実施例１に比べて第３レンズ群Ｌ３のレンズ構成が異なっている。実施例５のズームレンズのズーム比は７．７である。実施例５の第３レンズ群Ｌ３は物体側より像側へ順に、負の屈折力の第３ａレンズ群Ｌ３ａ、正の屈折力の第３ｂレンズ群Ｌ３ｂからなっている。そして第３ｂレンズ群Ｌ３ｂを光軸と垂直方向の成分を持つ方向に移動させて像を移動させている。これらの構成が実施例１と異なっているだけで、この他の構成は実施例１と同じである。尚、各実施例では４つ又は５つのレンズ群で構成されるズームレンズを示しているが、第１レンズ群Ｌ１の物体側に必要に応じて屈折力のあるレンズ群やコンバーターレンズ群等を設けても良い。
【００５１】
図１１の実施例６において後続レンズ群ＬＲは負の屈折力の第３レンズ群Ｌ３、正の屈折力の第４レンズ群Ｌ４、正の屈折力の第５レンズ群Ｌ５より成っている。広角端から望遠端へのズーミングにおいて、第１レンズ群を物体側へ、第２レンズ群Ｌ２を像側へ、第４レンズ群Ｌ４を物体側へ移動させて変倍を行い、第５レンズ群Ｌ５を移動させて変倍に伴う像面変動を補正している。第５レンズ群Ｌ５に関する実線の曲線５ａと点線の曲線５ｂは各々無限遠物体と近距離物体にフォーカスしているときの広角端から望遠端へのズーミングに伴う像面変動を補正するための移動軌跡を示している。また、望遠端において無限遠物体から近距離物体へフォーカスを行う場合には、第５レンズ群Ｌ５を矢印５ｃの如く前方（物体側）に移動させて行っている。実施例６のズームレンズのズーム比は９．４である。
【００５２】
広角端から望遠端へのズーミングに際し、プリズム部材ＰＲ、および第３レンズ群Ｌ３群は固定としている。実施例６においてプリズム部材ＰＲを配置するスペースを確保しつつ高倍率化（高ズーム比化）を達成するために第２レンズ群Ｌ２と第４レンズ群Ｌ４のパワーは強くしている。広角端から望遠端へのズーミングに際して第２レンズ群Ｌ２は像側へ移動するが、この際像側に凸軌跡を描きながら移動しても良い。さらに、第１レンズ群Ｌ１と第４レンズ群Ｌ４を物体側へ移動させることで約１０倍といった高ズーム比を達成している。それに伴う変倍時の像面位置のずれを補正するために第５レンズ群Ｌ５は物体側に凸状の軌跡を描きながら移動している。第４レンズ群Ｌ４は物体側から像側へ順に、正の屈折力の第４ａレンズ群Ｌ４ａ、正の屈折力の第４ｂレンズ群Ｌ４ｂ、負の屈折力の第４ｃレンズ群Ｌ４ｃより成っている。第４ｂレンズ群Ｌ４ｂを光軸と垂直方向の成分を持つ方向に移動させて像（結像位置）を光軸に対し垂直方向に変位させている。即ち、像ぶれ補正（防振）を行っている。開口絞りＳＰは第４ａレンズ群Ｌ４ａの像側に配置されている。この他の構成は図１の実施例１と同じである。
【００５３】
実施例１〜６のズームレンズにおいて、ズーミング時のＦ値の変動を低減するために開口絞りの開口径の制御を行っても良い。また受光面上に形成された光学像を電気信号に変換する撮像素子を備えた撮像装置と組み合わせた場合などにはズームレンズの歪曲収差量の大きさによっては電気的な補正を加えても良い。
【００５４】
次に本発明のズームレンズを撮影光学系として用いたデジタルカメラ（光学機器）の実施形態を図１４を用いて説明する。図１４において、２０はデジタルカメラ本体、２１は上述の実施例のズームレンズによって構成された撮影光学系である。Ｐはプリズムである。撮影光学系２１は被写体の像をＣＣＤ等の固体撮像素子上（光電変換素子上）２２に形成している。２３は撮像素子２２が受光した被写体の像を記録する記録手段、２４は不図示の表示素子に表示された画像を観察するためのファインダーである。上記表示素子は液晶パネル等によって構成され、撮像素子２２上に形成された画像が表示される。このように本発明のズームレンズをデジタルカメラ等に適用することにより、小型で高い光学性能を有する撮像装置を実現している。
【００５５】
次に、本発明の各実施例に対応する数値実施例を示す。数値実施例において、ｉは物体側からの面の順序を示す。ｒｉはレンズ面の曲率半径、ｄｉは第ｉ面と第ｉ＋１面との間のレンズ肉厚および空気間隔である。ｎｄｉ、νｄｉはそれぞれｄ線に対する屈折率、アッベ数を表す。また、最も像側の５つの面はガラスブロックや色合成プリズムなどに相当する平面である。また、ｋ、Ａ４、Ａ６、Ａ８、Ａ１０は非球面係数である。非球面形状は光軸からの高さｈの位置での光軸方向の変位を、面頂点を基準にしてｘとするとき以下の式で定義される。
【００５６】
ｘ＝（ｈ2／Ｒ）／［１＋｛１−（１＋ｋ）（ｈ／Ｒ）2｝1/2］
＋A4ｈ4＋A6ｈ6＋A8ｈ8＋A10ｈ10
但し、ここでＲは曲率半径である。又、前述の各条件式と各実施例との関係を表−１に示す。
ＰＲは反射部材である。数値実施例２のｒ１６は設計上用いたダミー面である。バックフォーカスＢＦは最終面から像面までの距離である。
【００５７】
数値実施例１
単位 mm
面データ
面番号       r        d      nd         νd       有効径
1         45.491    1.20   1.84666    23.8       24.11
2         21.920    4.28   1.59201    67.0       22.04
3       -428.082    0.05                         21.52
4         21.101    2.89   1.77250    49.6       19.85
5         94.188  (可変)                         19.24
6        106.997    0.70   1.88300    40.8       14.54
7          8.765    3.41                         11.56
8        -17.734    0.55   1.81600    46.6       11.36
9         19.900    0.12                         11.29
10*        15.052    1.90   2.14352    17.8       11.47
11         70.000  (可変)                         11.26
12          ∞       8.50   1.83400    37.2        8.40
13          ∞     (可変)                          7.32
14*         7.353    3.10   1.58913    61.1        8.16
15        -31.175    0.24                          7.50
16        -59.294    0.70   1.74950    35.3        7.21
17         11.945    1.67                          6.71
18(絞り)    ∞       4.00                          6.48
19*        10.412    3.58   1.49700    81.6        7.51
20        -43.813    1.76                          7.19
21         -7.050    0.70   1.71300    53.9        6.95
22        -14.153  (可変)                          7.32
23*        19.732    3.25   1.69350    53.2       10.24
24        -30.172    0.60   1.84666    23.8        9.98
25       -152.579  (可変)                          9.90
26          ∞       0.31   1.54427    70.6       20.94
27          ∞       0.50   1.49400    75.0       20.94
28          ∞       0.40                         20.94
29          ∞       0.50   1.49831    65.1       20.94
30          ∞       0.12                         20.94
像面        ∞   
非球面データ
第10面
K  =-5.30134e-001  A 4=-1.20991e-005  A 6= 4.32018e-008 
A 8=-1.23062e-008  A10= 1.61310e-010  
第14面
K  =-3.35905e-001  A 4=-4.82963e-005  A 6=-6.54168e-007 
A 8=-9.30211e-009  
第19面
K  =-3.30880e-001  A 4=-4.79598e-005  A 6= 2.84402e-006 
A 8=-1.29374e-007  A10= 4.96750e-009  
第23面
K  =-1.34241e-001  A 4= 1.69409e-006  A 6= 7.75735e-007 
A 8=-2.20352e-008  A10= 3.15210e-010  
各種データ
ズーム比      9.39 
広角     中間     望遠
焦点距離       7.01    35.82    65.90  
Fナンバー      3.10     4.30     5.22  
画角           28.9     6.18     3.37  
像高           3.88     3.88     3.88  
レンズ全長     85.6     85.6     85.6  
BF             0.12     0.12     0.12  
d 5            0.60     9.94    12.01  
d11           11.73     2.39     0.31  
d13           16.87     4.31     1.80  
d22            6.21    15.74    23.92  
d25            5.17     8.15     2.51  
入射瞳位置    21.20    71.80    98.57  
射出瞳位置   -34.78  -140.20   276.17  
前側主点位置  26.81    98.48   180.20  
後側主点位置  -6.90   -35.71   -65.77  
ズームレンズ群データ
群  始面    焦点距離  レンズ構成長  前側主点位置  後側主点位置
1    1      27.34         8.41         2.25         -2.82
2    6      -7.86         6.68         1.12         -3.72
pr   12       ∞           8.50         2.32         -2.32
3   14      19.01        15.75        -3.05        -13.50
4   23      28.14         3.85         0.08         -2.17
26       ∞           1.71         0.63         -0.63
単レンズデータ
レンズ  始面  焦点距離
1       1    -51.16
2       2     35.35
3       4     34.61
4       6    -10.85
5       8    -11.42
6      10     16.47
7      12      0.00
8      14     10.41
9      16    -13.21
10      19     17.31
11      21    -20.55
12      23     17.67
13      24    -44.52
14      26      0.00
15      27      0.00
16      29      0.00
【００５８】
数値実施例２
単位 mm
面データ
面番号       r        d      nd         νd       有効径
1         41.884    1.20   1.84666    23.8       26.65
2         20.833    5.47   1.59201    67.0       24.30
3       -277.257    0.05                         23.37
4         20.346    3.20   1.77250    49.6       20.38
5        100.018  (可変)                         19.74
6        106.955    0.70   1.88300    40.8       14.41
7          8.569    3.48                         11.25
8        -14.591    0.55   1.88300    40.8       11.00
9         21.803    0.16                         11.00
10*        16.325    1.93   2.14352    17.8       11.19
11        377.967  (可変)                         11.06
12          ∞       8.50   1.83400    37.2        8.40
13          ∞     (可変)                          7.22
14*         8.183    2.76   1.69350    53.2        7.97
15       -156.084    0.59                          7.36
16          ∞       0.61                          6.93
17        150.002    0.70   1.80610    33.3        6.50
18          7.604    1.56                          6.02
19(絞り)    ∞       0.88                          6.06
20*        17.059    1.93   1.49700    81.6        7.01
21        -27.419  (可変)                          7.18
22*        17.766    2.71   1.69350    53.2       10.84
23        -25.209    0.60   1.84666    23.8       10.61
24       -296.530  (可変)                         10.48
25          ∞       0.31   1.54427    70.6       20.94
26          ∞       0.50   1.49400    75.0       20.94
27          ∞       0.40                         20.94
28          ∞       0.50   1.49831    65.1       20.94
29          ∞       0.74                         20.94
像面        ∞   
非球面データ
第10面
K  =-6.83889e-001  A 4=-1.74588e-005  A 6= 9.12125e-008 
A 8=-1.91282e-008  A10= 2.60759e-010  
第14面
K  =-3.25539e-001  A 4=-3.65995e-005  A 6=-4.25045e-007 
A 8= 8.37541e-010  
第20面
K  =-1.63218e+000  A 4=-3.18974e-005  A 6= 2.69537e-006 
A 8=-2.51783e-007  A10= 8.99540e-009  
第22面
K  = 1.87341e-001  A 4= 1.91454e-005  A 6=-3.21895e-008 
A 8= 7.84140e-009  A10=-1.51657e-010  
各種データ
ズーム比      9.40 
広角     中間     望遠
焦点距離       7.01    21.57    65.96  
Fナンバー      3.10     3.89     5.18  
画角           29.4     10.2     3.37  
像高           3.88     3.88     3.88  
レンズ全長     87.7     87.7     87.7  
BF             0.74     0.74     0.74  
d 5            0.60     6.72    10.64  
d11           10.35     4.22     0.30  
d13           17.12     7.30     1.80  
d21           13.24    20.99    33.03  
d24            6.36     8.39     1.87  
入射瞳位置    22.97    53.58   104.90  
射出瞳位置   -44.21  -150.70   126.82  
前側主点位置  28.89    72.07   205.37  
後側主点位置  -6.27   -20.83   -65.22  
ズームレンズ群データ
群  始面    焦点距離  レンズ構成長  前側主点位置  後側主点位置
1    1      25.10         9.92         2.89         -3.16
2    6      -7.35         6.82         1.11         -3.91
pr   12       ∞           8.50         2.32         -2.32
3   14      21.00         9.03         0.27         -7.70
4   22      27.79         3.31        -0.12         -2.03
25       ∞           1.71         0.63         -0.63
単レンズデータ
レンズ  始面  焦点距離
1       1    -50.27
2       2     32.96
3       4     32.50
4       6    -10.59
5       8     -9.83
6      10     14.88
7      12      0.00
8      14     11.29
9      17     -9.96
10      20     21.47
11      22     15.43
12      23    -32.57
13      25      0.00
14      26      0.00
15      28      0.00
【００５９】
数値実施例３
単位 mm
面データ
面番号       r        d      nd         νd       有効径
1         69.849    1.23   1.84666    23.8       34.96
2         35.896    7.12   1.49700    81.5       34.05
3       -264.127    0.05                         33.82
4         31.080    4.18   1.77250    49.6       32.72
5         97.197  (可変)                         32.17
6         48.513    0.72   1.88300    40.8       17.12
7         10.385    4.13                         13.86
8        -20.090    0.56   1.77250    49.6       13.62
9         19.881    0.01                         13.35
10*        13.218    2.00   2.14352    17.8       13.58
11         30.000  (可変)                         13.23
12          ∞       8.71   1.83400    37.2        7.62
13          ∞     (可変)                          6.65
14*         7.947    3.29   1.58913    61.1        9.01
15        -48.570    0.05                          8.39
16         71.006    0.72   1.74950    35.3        8.15
17          9.442    1.99                          7.55
18(絞り)    ∞       3.61                          7.41
19*        10.385    3.70   1.45650    90.3        8.47
20        -67.109    5.94                          8.23
21         -7.573    0.55   1.58913    61.1        7.50
22        -48.018  (可変)                          7.96
23*        24.190    4.20   1.69350    53.2       11.17
24        -12.383    0.61   1.84666    23.8       11.25
25        -20.531  (可変)                         11.40
26          ∞       0.32   1.54427    70.6       21.46
27          ∞       0.51   1.49400    75.0       21.46
28          ∞       0.41                         21.46
29          ∞       0.51   1.49831    65.1       21.46
30          ∞       0.11                         21.46
像面        ∞   
非球面データ
第10面
K  =-7.60271e-001  A 4=-2.14965e-005  A 6=-8.27907e-008 
A 8=-1.85857e-009  A10= 2.38955e-011  
第14面
K  =-3.81331e-001  A 4=-6.18891e-005  A 6=-6.15089e-007 
A 8=-1.05099e-008  
第19面
K  =-3.53354e-001  A 4=-4.79216e-005  A 6= 2.24978e-008 
A 8= 1.03870e-008  A10= 7.88194e-011  
第23面
K  =-1.63549e+000  A 4=-1.48372e-005  A 6=-3.23057e-008 
A 8= 6.95691e-009  A10=-1.44518e-010  
各種データ
ズーム比     19.17 
広角     中間     望遠
焦点距離       6.41    16.54   122.84  
Fナンバー      3.11     3.86     6.47  
画角           31.2     13.2     1.81  
像高           3.88     3.88     3.88  
レンズ全長    105.3    101.1    106.5  
BF             0.11     0.11     0.11  
d 5            0.62    10.95    27.64  
d11           26.50    12.02     0.75  
d13           15.43     6.19     1.30  
d22            4.91     7.55    19.22  
d25            2.57     9.16     2.39  
入射瞳位置    25.41    54.63   268.27  
射出瞳位置   -65.67  -206.91    45.34  
前側主点位置  31.19    69.85   724.79  
後側主点位置  -6.29   -16.42  -122.73  
ズームレンズ群データ
群  始面    焦点距離  レンズ構成長  前側主点位置  後側主点位置
1    1      46.71        12.58         3.77         -4.09
2    6      -9.59         7.42         1.89         -3.39
pr   12       ∞           8.71         2.38         -2.38
3   14      19.20        19.84       -12.58        -17.01
4   23      18.10         4.81         1.55         -1.39
26       ∞           1.75         0.65         -0.65
単レンズデータ
レンズ  始面  焦点距離
1       1    -88.69
2       2     64.09
3       4     57.56
4       6    -15.10
5       8    -12.86
6      10     19.43
7      12      0.00
8      14     11.85
9      16    -14.60
10      19     20.00
11      21    -15.34
12      23     12.39
13      24    -38.18
14      26      0.00
15      27      0.00
16      29      0.00
【００６０】
数値実施例４
単位 mm
面データ
面番号       r        d      nd         νd       有効径
1         44.228    1.25   1.84666    23.8       24.95
2         22.500    4.19   1.59201    67.0       23.24
3       2310.573    0.08                         23.05
4         21.848    3.22   1.77250    49.6       22.12
5         85.910  (可変)                         21.52
6        220.500    0.75   1.88300    40.8       14.57
7          7.958    3.52                         11.31
8        -18.581    1.00   1.77250    49.6       11.18
9*        24.744    0.05                         11.28
10         16.939    1.69   1.94595    18.0       11.46
11      -2909.835  (可変)                         11.38
12          ∞       8.75   1.83400    37.2        7.87
13          ∞       1.20                          6.70
14        -26.638    0.50   1.48749    70.2        6.45
15        -39.154  (可変)                          6.42
16*         8.112    4.40   1.58913    61.1        8.58
17        -23.834    0.22                          7.72
18        -38.340    0.55   1.74950    35.3        7.47
19         12.652    1.73                          7.10
20(絞り)    ∞       2.59                          7.00
21*        11.294    2.95                          7.87
22        -40.238    2.81                          7.76
23         -6.981    0.55   1.74320    49.3        7.43
24         -9.851  (可変)                          7.78
25*        24.403    2.24   1.69350    53.2        9.70
26        -44.974    0.55   1.84666    23.9        9.54
27       -685.458  (可変)                          9.48
28          ∞       0.32                         21.46
29          ∞       0.30   1.49400    75.0       21.46
30          ∞       0.00                         21.46
31          ∞       0.50   1.51633    64.1       21.46
32          ∞       0.13                         21.46
像面        ∞   
非球面データ
第9面
K  =-2.09342e-001  A 4=-5.18165e-006  A 6= 1.30510e-008 
A 8= 1.58950e-008  A10=-2.21254e-010  
第16面
K  =-3.46233e-001  A 4=-4.22096e-005  A 6=-5.05679e-007 
A 8=-7.39445e-009  
第21面
K  =-4.85800e-001  A 4=-6.15558e-005  A 6= 9.22907e-007 
A 8= 2.71895e-008  A10= 2.63699e-010  
第25面
K  = 1.02828e+000  A 4= 6.47868e-006  A 6=-1.28150e-007 
A 8= 1.09553e-008  A10=-2.10989e-010  
各種データ
ズーム比      9.48 
広角     中間     望遠
焦点距離       6.73    23.07    63.78  
Fナンバー      3.10     4.37     5.71  
画角           30.0     9.57     3.48  
像高           3.88     3.88     3.88  
レンズ全長     88.8     88.8     88.8  
BF             0.13     0.13     0.13  
d 5            0.78     8.82    14.04  
d11           14.08     6.04     0.81  
d15           13.50     3.21     0.50  
d24           10.66    15.45    24.26  
d27            3.72     9.20     3.12  
入射瞳位置    20.67    54.58   120.37  
射出瞳位置   -39.46   -66.95  -183.66  
前側主点位置  26.25    69.72   162.02  
後側主点位置  -6.59   -22.94   -63.65  
ズームレンズ群データ
群  始面    焦点距離  レンズ構成長  前側主点位置  後側主点位置
1    1      29.53         8.74         1.98         -3.27
2    6      -7.89         7.02         0.72         -4.64
pr   12       ∞           8.75         2.39         -2.39
3   14    -173.21         0.50        -0.72         -1.07
4   16      18.13        15.80        -0.27        -12.65
5   25      37.99         2.79        -0.10         -1.71
28       ∞           1.12         0.42         -0.42
単レンズデータ
レンズ  始面  焦点距離
1       1    -55.56
2       2     38.35
3       4     37.11
4       6     -9.37
5       8    -13.60
6      10     17.81
7      12      0.00
8      14   -173.21
9      16     10.83
10      18    -12.63
11      21     18.08
12      23    -35.11
13      25     23.12
14      26    -56.87
15      29      0.00
16      31      0.00
【００６１】
数値実施例５
単位 mm
面データ
面番号       r        d      nd         νd       有効径
1         47.940    1.20   1.84666    23.8       27.53
2         23.137    5.05   1.59240    68.3       26.35
3       -259.356    0.05                         26.23
4         21.007    4.05   1.77250    49.6       24.57
5         87.358  (可変)                         23.84
6         71.299    0.70   1.88300    40.8       14.62
7          8.213    3.67                         11.31
8        -14.347    0.70   1.88300    40.8       11.07
9         23.448    0.05                         11.11
10*        16.390    1.95   2.14352    17.8       11.27
11        723.372  (可変)                         11.14
12          ∞       8.50   1.83400    37.2        8.27
13          ∞     (可変)                          7.18
14        100.000    1.00   1.83400    37.2        7.49
15         39.837    2.93                          7.65
16*         8.475    2.80   1.65100    56.2        8.07
17       -199.396    1.04                          7.94
18         24.325    0.70   1.80610    33.3        7.73
19          8.059    0.62                          7.43
20*        23.985    1.98   1.49700    81.6        7.43
21        -24.828  (可変)                          7.69
22*        13.596    2.67   1.51633    64.1       10.01
23        -38.595    0.60   1.84666    23.8        9.76
24       1059.708  (可変)                          9.66
25          ∞       0.31   1.54427    70.6       20.94
26          ∞       0.50   1.49400    75.0       20.94
27          ∞       0.40                         20.94
28          ∞       0.50   1.49831    65.1       20.94
29          ∞       0.22                         20.94
像面        ∞   
非球面データ
第10面
K  =-8.67091e-001  A 4=-2.07518e-005  A 6= 1.42567e-007 
A 8=-2.52900e-008  A10= 3.48108e-010  
第16面
K  =-4.48898e-001  A 4=-7.59908e-005  A 6=-2.63291e-007 
A 8=-8.45311e-009  
第20面
K  = 4.22377e-001  A 4= 3.44407e-006  A 6= 2.43684e-007 
A 8= 5.78953e-008  
第22面
K  = 1.22038e-001  A 4=-1.60158e-006  A 6= 2.33052e-006 
A 8=-9.37529e-008  A10= 1.44928e-009  
各種データ
ズーム比      7.67 
広角     中間     望遠
焦点距離       7.00    20.15    53.74  
Fナンバー      3.11     3.71     4.44  
画角           29.0     10.9     4.13  
像高           3.88     3.88     3.88  
レンズ全長     88.4     88.4     88.4  
BF             0.22     0.22     0.22  
d 5            0.60     7.26    11.71  
d11           11.42     4.73     0.30  
d13           13.03     5.45     2.80  
d21           13.55    19.47    28.93  
d24            7.66     9.28     2.45   
入射瞳位置    22.83    53.24   107.11  
射出瞳位置   -50.33   -94.79  -1825.34  
前側主点位置  28.86    69.12   159.27  
後側主点位置  -6.79   -19.93   -53.52  
ズームレンズ群データ
群  始面    焦点距離  レンズ構成長  前側主点位置  後側主点位置
1    1      27.10        10.35         2.53         -3.66
2    6      -7.48         7.07         1.13         -4.04
pr   12       ∞           8.50         2.32         -2.32
3   14      20.58        11.07         3.52         -5.08
4   22      34.18         3.27        -0.57         -2.62
25       ∞           1.71         0.63         -0.63
単レンズデータ
レンズ  始面  焦点距離
1       1    -54.02
2       2     36.10
3       4     34.88
4       6    -10.57
5       8     -9.99
6      10     14.64
7      12      0.00
8      14    -80.00
9      16     12.55
10      18    -15.24
11      20     24.88
12      22     19.82
13      23    -43.97
14      25      0.00
15      26      0.00
16      28      0.00
【００６２】
数値実施例６
単位 mm
面データ
面番号       r        d      nd         νd       有効径
1         43.277    1.25   1.84666    23.8       23.45
2         22.500    3.68   1.59201    67.0       22.40
3        331.179    0.08                         22.21
4         22.316    3.01   1.77250    49.6       21.43
5         87.317  (可変)                         20.88
6        237.841    1.00   1.84862    40.0       13.92
7*         7.366    3.22                         10.52
8        -16.992    0.75   1.77250    49.6       10.44
9         26.851    0.05                         10.55
10         16.206    1.59   1.94595    18.0       10.73
11       -893.871  (可変)                         10.64
12          ∞       8.75   1.83400    37.2        7.97
13          ∞       1.20                          6.77
14        -35.429    0.50   1.48749    70.2        6.51
15        -61.631  (可変)                          6.45
16*         7.870    3.04   1.58913    61.1        8.29
17        -32.010    0.16                          7.81
18       -161.853    0.55   1.80610    33.3        7.59
19         13.438    1.72                          7.25
20(絞り)    ∞       4.11                          7.10
21*        11.385    2.95                          7.84
22        -41.230    2.73                          7.67
23         -7.583    0.55   1.74320    49.3        7.30
24        -12.362  (可変)                          7.62
25*        22.329    2.49   1.69350    53.2        9.81
26        -45.027    0.55   1.84666    23.9        9.62
27      -10000.000  (可変)                          9.56
像面        ∞   
非球面データ
第7面
K  =-1.96634e-002  A 4= 6.95999e-006  A 6=-7.39743e-008 
A 8= 1.55845e-008  A10= 4.92660e-010  
第16面
K  =-4.12650e-001  A 4=-5.17406e-005  A 6=-7.18644e-007 
A 8=-6.23045e-010  
第21面
K  =-4.05809e-001  A 4=-5.39304e-005  A 6= 1.49263e-006 
A 8=-4.14950e-008  A10= 1.77160e-009  
第25面
K  = 7.32690e-001  A 4= 5.83938e-006  A 6=-8.36645e-007 
A 8= 3.72222e-008  A10=-5.21415e-010  
各種データ
ズーム比      9.42 
広角     中間     望遠
焦点距離       6.69    17.67    63.04  
Fナンバー      3.10     3.88     5.64  
画角          30.08    12.37     3.52  
像高           3.88     3.88     3.88  
レンズ全長    83.11    84.01    88.64  
BF             4.60    10.16     4.03  
d 5            0.74     7.15    15.28  
d11            9.84     4.32     0.81  
d15           14.28     4.87     0.50  
d24            9.74    13.60    24.11  
d27            4.60    10.16     4.03  
入射瞳位置    18.98    39.15   119.09  
射出瞳位置   -36.83   -55.88  -304.36  
前側主点位置  24.59    52.09   169.24  
後側主点位置  -2.09    -7.51   -59.01  
ズームレンズ群データ
群  始面    焦点距離  レンズ構成長  前側主点位置  後側主点位置
1    1      31.07         8.02         1.64         -3.15
2    6      -7.78         6.60         0.78         -4.25
PR   12       ∞           8.75         2.39         -2.39
3   14    -172.02         0.50        -0.46         -0.80
4   16      17.32        15.80        -0.42        -12.63
5   25      35.85         3.04        -0.17         -1.93
単レンズデータ
レンズ  始面  焦点距離
1       1    -56.92
2       2     40.60
3       4     38.04
4       6     -8.98
5       8    -13.37
6      10     16.84
7      12      0.00
8      14   -172.02
9      16     11.03
10      18    -15.37
11      21     18.29
12      23    -27.76
13      25     21.85
14      26    -53.42
【００６３】
【表１】
0005441521.tif 000004
【符号の説明】
【００６４】
Ｌ１は第１レンズ群、Ｌ２は第２レンズ群、Ｌ３は第３レンズ群、Ｌ４は第４レンズ群、Ｌ５は第５レンズ群、ＰＲは反射部材、ＩＰは像面、ＳＰは開口絞り、ＧＢは硝子ブロック、ΔＳはサジタル像面、ΔＭはメリディオナル像面
【図１】
0005441521.tif 000005
【図３】
0005441521.tif 000006
【図４】
0005441521.tif 000007
【図８】
0005441521.tif 000008
【図１０】
0005441521.tif 000009
【図１１】
0005441521.tif 000010
【図１２】
0005441521.tif 000011
【図１４】
0005441521.tif 000012
【図２】
0005441521.tif 000013
【図５】
0005441521.tif 000014
【図６】
0005441521.tif 000015
【図７】
0005441521.tif 000016
【図９】
0005441521.tif 000017
【図１３】
0005441521.tif 000018